(57)【要約】【課題】  分割合成画像が作成されていないにもかかわらず、画像枚数を確認するための領域、および、分割合成画像を操作するための領域を表示してしまうと、操作者にとっては見る必要のない情報が表示されていることになり、思考を妨げる可能性があった。  また、画像枚数を確認するための領域、および、分割合成画像を操作するための領域が常に表示されていることで、必要な情報を隠してしまい、視認性が下がり、操作者の負担となっていた。【解決手段】  画像枚数を確認するための領域、および、分割合成画像を操作するための領域を、少なくとも１枚の分割合成画像が作成されたタイミングで表示することにより、視認性を高め、操作者の思考を妨害させなくする。【選択図】  図１
2014000133.tif 000002
【特許請求の範囲】
【請求項１】
複数の放射線画像を撮影しまとめて１画像として出力させる撮影方法である分割撮影を実行させる放射線撮影制御装置であって、
分割撮影のフォーマットを指定する指定手段と、
撮影された複数の放射線画像を前記フォーマットに応じてまとめて１画像として出力する出力手段と、
前記複数の放射線画像を操作するためのＧＵＩを前記分割撮影の進行状況に応じて前記表示部に表示させる表示制御手段と、
を有することを特徴とする放射線撮影制御装置。
【請求項２】
前記表示制御手段は、分割撮影が指示されたことに応じて前記ＧＵＩを前記表示部に表示させることを特徴とする請求項１に記載の放射線撮影制御装置。
【請求項３】
前記表示制御手段は、前記指定手段により分割撮影のフォーマットが指定されたことに応じて前記ＧＵＩを前記表示部に表示させることを特徴とする請求項１に記載の放射線撮影制御装置。
【請求項４】
前記表示制御手段は、分割撮影として放射線画像が１枚撮影されたことに応じて前記ＧＵＩを前記表示部に表示させることを特徴とする請求項１に記載の放射線撮影制御装置。
【請求項５】
前記表示制御手段は、分割撮影として複数の放射線画像が撮影されたことに応じて前記ＧＵＩを表示部に表示させることを特徴とする請求項１に記載の放射線撮影制御装置。
【請求項６】
前記表示制御手段は、前記指定された１のフォーマットについての全ての放射線画像が撮影されたことに応じて前記ＧＵＩを表示部に表示させることを特徴とする請求項１に記載の放射線撮影制御装置。
【請求項７】
前記表示制御手段は、撮影された放射線画像に前記指定されたフォーマットが適用されることに応じて前記ＧＵＩを表示部に表示させることを特徴とする請求項１に記載の放射線撮影制御装置。
【請求項８】
前記表示制御手段は、前記分割撮影でない撮影の実行が指示されることに応じて前記表示部に表示された前記ＧＵＩを非表示とすることを特徴とする請求項１に記載の放射線撮影制御装置。
【請求項９】
前記表示制御手段は、第一の表示領域に撮影された複数の放射線画像の縮小画像を表示させ、前記第二の表示領域に指定された放射線画像を表示させるとともに、
前記ＧＵＩを前記第一の表示領域に重ねて表示させることを特徴とする請求項１乃至８のいずれか１項に記載の放射線撮影制御装置。
【請求項１０】
前記表示制御手段は、第一の表示領域に撮影された複数の放射線画像の縮小画像を表示させ、前記第二の表示領域に指定された放射線画像を表示させ、
前記第一の表示領域に前記分割撮影に対応する縮小画像が存在しなくなったことに応じて、前記表示部に表示されたＧＵＩを非表示とすることを特徴とする請求項１に記載の放射線撮影制御装置。
【請求項１１】
前記表示制御手段は、前記ＧＵＩを前記第一の表示領域中の特定の部分領域に表示させる制御を行うように構成されており、
前記表示制御手段はさらに、前記撮影に応じて前記第一の表示領域に縮小画像を逐次表示させるとともに、
前記表示制御手段により前記ＧＵＩが前記特定の表示領域に表示されるタイミングで、分割撮影に対応する放射線画像の縮小画像が前記特定の表示領域に表示されることとなる場合には、前記ＧＵＩを前記特定の領域に表示させるとともに、該縮小画像が前記特定の表示領域外の領域に表示されるよう前記縮小画像の表示位置を制御する
ことを特徴とする請求項９に記載の放射線撮影制御装置。
【請求項１２】
前記表示制御手段は、前記第一の表示領域に表示された縮小画像の数に応じて前記ＧＵＩの表示タイミングを制御することを特徴とする請求項９に記載の放射線撮影制御装置。
【請求項１３】
前記ＧＵＩを分割撮影の進行状況に応じて表示させるか否かを設定する設定手段を更に有することを特徴とする請求項１乃至１２のいずれか１項に記載の放射線撮影制御装置。
【請求項１４】
前記表示制御手段は、分割撮影の進行状況に応じて、前記ＧＵＩを、該ＧＵＩとは異なる放射線画像を操作するためのＧＵＩよりも優先させて表示部に表示させることを特徴とする請求項１乃至１３のいずれか１項に記載の放射線撮影制御装置。
【請求項１５】
前記表示制御手段は、分割撮影のフォーマットに応じてまとめられた複数の放射線画像を特定の表示領域に同時に表示させる第一の表示形態と、該複数の放射線画像のそれぞれを前記特定の表示領域に個別に表示させる第二の表示形態とを切り替えるボタンを前記ＧＵＩとして表示させることを特徴とする請求項１乃至１４のいずれか１項に記載の放射線撮影制御装置。
【請求項１６】
前記表示制御手段は、分割撮影の回数を分割撮影のフォーマット毎に分けて表示させることを特徴とする請求項１乃至１５のいずれか１項に記載の放射線撮影制御装置。
【請求項１７】
複数の放射線画像を撮影しまとめて１画像として出力させる撮影方法である分割撮影を実行する放射線撮影制御装置であって、
分割撮影のフォーマットを指定する指定手段と、
前記フォーマットに応じて撮影された放射線画像をまとめて１画像として出力する出力手段と、
前記出力される複数の放射線画像を操作するための第一のＧＵＩと、前記ＧＵＩの表示及び非表示を指示する為の第二のＧＵＩと、を表示部に表示させる表示制御手段と、
を有することを特徴とする放射線撮影制御装置。
【請求項１８】
前記表示制御手段は、分割撮影の進行状況に応じて前記第二のＧＵＩを表示部に表示させることを特徴とする請求項１７に記載の放射線撮影制御装置。
【請求項１９】
前記表示制御手段は、前記分割撮影の進行状況に応じて前記第二のＧＵＩを選択可能な状態へと遷移させることを特徴とする請求項１７に記載の放射線撮影制御装置。
【請求項２０】
請求項１乃至１９のいずれか１項に記載の放射線撮影制御装置と、
放射線発生部と、
前記放射線発生部から発生される放射線を検出して放射線画像を得る放射線検出器と、
前記表示制御手段による制御に応じて前記ＧＵＩ及び前記放射線画像を表示する表示手段と、
を有することを特徴とする放射線撮影システム。
【請求項２１】
複数の放射線画像を撮影しまとめて１画像として出力させる撮影方法である分割撮影をコンピュータに実行させるためのプログラムであって、
分割撮影のフォーマットを指定する処理と、
前記フォーマットに応じて撮影された放射線画像をまとめて１画像として出力する処理と、
前記出力される複数の放射線画像を操作するためのＧＵＩを前記分割撮影の進行状況に応じて前記表示部に表示させる処理と、
をコンピュータに実行させるためのプログラム。
【請求項２２】
複数の放射線画像を撮影しまとめて１画像として出力させる撮影方法である分割撮影をコンピュータに実行させるためのプログラムであって、
分割撮影のフォーマットを指定する処理と、
前記フォーマットに応じて撮影された放射線画像をまとめて１画像として出力する処理と、
前記出力される複数の放射線画像を操作するための第一のＧＵＩを表示部に表示させる処理と、
前記ＧＵＩの表示及び非表示を指示する為の第二のＧＵＩを表示部に表示させる処理と、
をコンピュータに実行させるためのプログラム。
【発明の詳細な説明】
【技術分野】
【０００１】
この発明は、被検体を透過した放射線を検出し、放射線画像を生成するための放射線撮影制御装置、放射線撮影システム、及びプログラムに関する。
【背景技術】
【０００２】
この種の放射線撮影装置としては、次のようなものが知られている。被検体にＸ線を照射するＸ線照射装置が、天井吊り保持装置によって天井から吊って保持されている。天井吊り保持装置はＸ線照射装置を上下左右に駆動移動できるように構成されている。
Ｘ線照射装置に被検体を挟んで対向するように、被検体を透過したＸ線信号を検出するＸ線検出器を有するＸ線検出装置が設けられている。このＸ線検出装置が立位撮影台に上下方向に駆動移動可能に設けられている。
Ｘ線検出装置には、Ｘ線検出器で検出したＸ線信号を読み出して画像データを収集する画像データ収集装置と、この画像データ収集装置で収集した画像データに各種の画像処理を施して所望の画像データを得る画像処理装置とが接続されている。
前記医用画像撮影装置にあって、複数の撮影フォーマットの何れかが選択されるとその撮影フォーマットに沿ってＸ線撮影を行う分割撮影手法が存在する。
分割撮影手法においては、以下のようなものが知られている。
撮影手順を予め撮影プログラムとして登録しておき、その撮影プログラムの撮影途中に新たな分割フォーマットの変更が通知される。その場合は、一時的にプログラムを中断して、新たに通知された分割フォーマットの撮影を先に実施する。そして、通知された分割フォーマットの撮影が終了して分割合成画像を作成すると、再度、撮影プログラムに戻る手段がある。（特許文献１参照）
【先行技術文献】
【特許文献】
【０００３】
【特許文献１】特開平２−１７４０９８
【発明の概要】
【発明が解決しようとする課題】
【０００４】
しかしながら、従来例の場合、分割合成画像が作成されていないにもかかわらず、画像枚数を確認するための領域、および、分割合成画像を操作するための領域を表示していた。そのため、操作者にとっては見る必要のない情報が表示されていることになり、思考を妨げる可能性があった。
また、画像枚数を確認するための領域、および、分割合成画像を操作するための領域が常に表示されていることで、必要な情報を隠してしまい、視認性が下がり、操作者の負担となっていた。
【課題を解決するための手段】
【０００５】
本発明の実施形態野１つに係る放射線撮影制御装置は、複数の放射線画像を撮影しまとめて１画像として出力させる撮影方法である分割撮影を実行させる放射線撮影制御装置であって、分割撮影のフォーマットを指定する指定手段と、前記フォーマットに応じて撮影された放射線画像をまとめて１画像として出力する出力手段と、前記出力される複数の放射線画像を操作するためのＧＵＩを前記分割撮影の進行状況に応じて前記表示部に表示させる表示制御手段と、を有することを特徴とする。
【発明の効果】
【０００６】
本発明によれば、画像枚数を確認するための領域、および、分割合成画像を操作するための領域を、分割撮影の進行状況に応じたタイミングで表示することで視認性を改善し、操作者の負担を軽減することが可能である。
【図面の簡単な説明】
【０００７】
【図１】この発明に係る実施例１のＸ線撮影装置の全体側面図である。
【図２】この発明に係る実施例１のプログラム構成の図である。
【図３】表示タイミング制御手段による分割合成画像操作手段表示の図である。
【図４】この発明に係る実施例１および実施例２の説明に関するフローチャートである。
【図５】この発明に係る実施例２のプログラムおよび装置構成図である。
【図６】コンソール１００２のインターフェース図である。
【発明を実施するための形態】
【０００８】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らない。
【実施例１】
【０００９】
図１は、この発明に係る実施例１のＸ線撮影装置の全体側面図である。このＸ線装置はＸ線発生装置１０００、Ｘ線管１００１、コンソール１００２、Ｘ線検出器１００３、Ｘ線制御装置１００４、ディスプレイ１００５が備えられている。そして、Ｘ線制御装置１００４にはＩ／Ｆ１００６、ＣＰＵ１００７、ＲＡＭ１００８、ＨＤＤ１００９、分割撮影プログラム１０１０、入力部１０１１、出力部１０１２が備えられている。
【００１０】
ここで、Ｘ線発生装置１０００はＸ線管１００１を用いて被検体ＨにＸ線を照射する。特にＸ線発生装置１０００はコンソール１００２により操作される。Ｘ線管１００１より照射されて被検体Ｈを透過したＸ線はフラットパネル型Ｘ線検出器（ＦＰＤ）であるＸ線検出器１００３によって検出される。Ｘ線検出器１００３は、放射線発生装置１０００から発生される放射線を検出して放射線画像を得る。Ｘ線検出器１００３で得られたＸ線撮影画像はＩ／Ｆ１００６を通してＸ線撮影制御装置に通知される。
【００１１】
また、Ｘ線制御装置１００４では、ＨＤＤ１００９に内に保持された分割撮影プログラム１０１０をＲＡＭ１００８に展開することで分割撮影を実施する。ここで分割撮影とは、複数のＸ線が像を撮影しまとめて１画像として出力させるための撮影方法である。例えば、２×２の分割撮影である場合には、４つの小領域に対応する放射線画像が撮影され、出力の際には４つの画像が２×２のレイアウトに並べられ、１つの画像として出力される。各小領域に対応する放射線画像の撮影の際には、小領域に対応する領域に照射野を絞って放射線撮影が行われる。図２は、分割撮影プログラム１０１０により実現される機能ブロックを示す図である。この分割撮影プログラム１０１０には、撮影制御部２０００、表示制御部２００２、分割フォーマット指定部２００３、分割合成画像作成部２００４の各機能に対応するプログラムモジュールと、分割合成画像操作ＵＩ２００６に対応するＧＵＩモジュールとが含まれる。
【００１２】
ここで、撮影制御部２０００はＸ線撮影の制御を実施する。Ｘ撮影後にＩ／Ｆ１００６により受信したＸ線撮影画像２００５を記録部２００１に記録し、表示制御部２００２でＸ線制御装置１００４に接続されているディスプレイ１００５にＸ線撮影画像２００５を表示する（図３（ａ））。
【００１３】
分割フォーマット指定部２００３ではＸ線制御装置１００４の入力部１０１１により分割合成画像の分割フォーマットを指定することができる。ここでフォーマットとは、分割撮影により得られる画像のレイアウトを規定する情報であり、例えば２×１、１×２等のレイアウトを規定する。入力部１０１１はディスプレイ１００５に表示されたＧＵＩにより実施する事が可能であるが、分割フォーマットの指定方法はこれに限らない。
【００１４】
分割フォーマット指定部２００３で分割フォーマットを指定されると、指定されたフォーマットをディスプレイ１００５に明示して分割撮影を開始する（図３（ｂ））。
【００１５】
その後、分割フォーマット指定部２００３で指定したフォーマットのコマ数に一致するＸ線画像を記録部２００１で記録した場合に、分割合成画像作成部２００４にて記録部２００１に記録されているＸ線画像から分割合成画像を作成する。
【００１６】
作成された分割合成画像は表示制御部２００２によりディスプレイ１００５に出力される。この点で表示制御部２００２は前記フォーマットに応じて撮影された放射線画像をまとめて１画像として出力する出力部としても機能する。この他、ＰＡＣＳ等の外部サーバーに１画像として出力する通信部も、出力部の範疇に含まれる。
【００１７】
なお、別の実施例では、複数の画像を必ずしも合成する必要はなく、分割フォーマットにより指定されたフォーマットに並べて１画像としてまとめたものを出力することとすればよい。
【００１８】
さらに、表示制御部２００２では、分割撮影の進行状況に応じて、例えば分割合成画像作成部２００４で分割合成画像が少なくとも１枚作成された場合に、記録部２００１に保持されている分割合成画像を操作するための操作ＵＩ（ＧＵＩ）２００６をディスプレイ１００５に表示する（図３（ｃ））。その後に、ディスプレイ１００５で表示された分割合成画像操作ＵＩ２００６の操作領域で分割合成画像の作成枚数や分割合成画像を操作することが可能となる。ここでいう操作には、分割合成画像を特定の表示領域に同時に表示させる表示形態と、個々の撮影により得られた放射線画像を１枚ずつ表示させる表示形態とを切り替える操作を含む。例えば、２×２の分割撮影が指示され、計４枚の放射線画像が得られた場合には、４枚の放射線画像をフォーマットに応じてまとめて表示させる表示形態と、フォーマットで規定されるレイアウトの右上、右下、左上、左下の画像を個別に表示させる表示形態とを切り替えるためのボタンが表示される。かかるボタンを繰り返し押下されると、表示制御部２００２は押下に応じて、全体、右上、右下、左上、左下の画像をそれぞれ表示させるように特定の表示領域の表示を切り替える。これにより、分割撮影された画像の詳細な確認を容易にする。
【００１９】
また上述のボタンに加えて、分割撮影が行われた回数を分割撮影のフォーマット毎に表示させることで、例えば腹部の健診等で予め各フォーマットに対応する撮影の回数が決まっている場合には、患者ごとの１単位の検査における撮影の回数を容易に通知することができる。
【００２０】
かかるＧＵＩ２００６は分割撮影により得られる画像を操作する際には有用であるが、通常の撮影では不要であるため、画面領域を有効に利用する観点から、必要と思われるタイミングでのみＧＵＩ２００６を表示させることとしている。
【００２１】
なお、ＧＵＩ２００６を表示させるタイミングについては状況により種々の形態が考えられる。
【００２２】
例えば、表示制御部２００２は分割撮影が指示されたタイミングでＧＵＩ２００６を表示させることとすれば、表示画面として分割撮影モードとなったことをより効果的に撮影者に知らせることができる。また例えば、明示的に分割撮影モードとそれ以外のモードとが並存可能であるような場合には、表示制御部２００２は分割フォーマット指定部２００３でフォーマットが指定されたタイミングでＧＵＩ２００６を表示させることにより、分割撮影が行われるタイミングでＧＵＩ２００６を表示させることが可能であり、表示領域を有効利用することができる。
【００２３】
また或いは、分割フォーマットの指定を予め行っておき、通常の撮影を先に行うような場合も考えられる。例えばそのような場合には、分割撮影として放射線画像が１枚撮影されたことに応じてＧＵＩ２００６を表示させることにより、分割撮影が行われないタイミングでＧＵＩ２００６が表示されるという状況が少なくなる。
【００２４】
更には、仮に１枚撮影された直後には、通常の撮影と並存していたとしても、個々の画像を閲覧するという点で不都合は少ない。そこで、分割撮影として複数の放射線画像が撮影されたことに応じてＧＵＩ２００６を表示させることで、ＧＵＩ２００６が必要となりうるタイミングでのみ表示させることとし、表示領域をより有効活用することができる。
【００２５】
また別の例では、１の分割フォーマットについて撮影が完了してから各画像を詳細に閲覧するような作業フローに対応して、表示制御部２００２は指定された一のフォーマットについて全ての放射線画像が撮影されたことに応じてＧＵＩ２００６をディスプレイ１００５に表示させる。このようにすることで作業フローに沿って表示領域を効率的に利用することができる。
【００２６】
また別の例では、撮影を繰り返し、出力や閲覧のタイミングで分割のフォーマットを指定しフォーマットで規定されるレイアウトに並べて表示または出力させる場合が考えられる。かかる場合に対応して、表示制御部２００２は撮影された放射線画像に指定されたフォーマットが適用されることに応じてＧＵＩ２００６をディスプレイ１００５に表示させる。これにより、分割撮影された画像の操作が必要となり得る場面で適切にＧＵＩを表示させることができる。
【００２７】
上述の例はＧＵＩ２００６を非表示状態から表示状態へと遷移させる場合の表示制御であるが、状況に応じてＧＵＩ２００６を表示状態から非表示状態とする制御についても表示制御部２００２で行われる。例えば、分割撮影と通常の撮影とが順次実行されていく場合に、分割撮影でない撮影の実効が指示されることに応じて前記表示部に表示された前記ＧＵＩを非表示とする。このようにすることで、例えば１患者に対して分割撮影と通常の撮影とが併用される腹部の健診のような状況下において、必要なタイミングでのみＧＵＩ２００６を表示させることができるため、表示領域を有効活用することができる。
【００２８】
特に、図３に示すような表示画面を用いるときはその効果が顕著である。図３（ａ）に示すように、表示制御部２００２は撮影画面３００１において、検査情報表示領域（第一の表示領域）３００３に複数の放射線画像の縮小画像（サムネイル画像）を撮影に応じて逐次表示させる。また撮影画像表示領域（第二の表示領域）３００２に指定された当該縮小画像のそれぞれに対応する複数の放射線画像のうち指定された放射線画像を表示させる。その上で、ＧＵＩ２００６を第二の表示領域３００２の下部（図３（ｂ）に示す位置）重ねて表示する。かかる領域にＧＵＩ２００６を表示させることで、撮影画像表示領域３００２を大きく取り詳細な確認をしやすくしている。
【００２９】
このように、縮小画像の表示領域とＧＵＩ２００６の表示領域が重複する場合には、分割撮影の進行状況に応じてＧＵＩ２００６を表示または非表示とすることで表示領域を効率的に利用することができる。
【００３０】
その他、上述の通り撮影された画像や分割画像を外部のサーバに出力する出力部を設ける場合や、いったん撮影された画像を写損とする場合に、縮小画像を非表示とする場合がある。あるいは分割撮影のフォーマットが指定され撮影予約がされた後に、当該予約が解除された場合にも、縮小画像領域から分割画像に関連する表示がなくなる場合がある。このような場合に対応して、表示制御部２００２は第一の表示領域３００３に分割撮影に対応する縮小画像３００４が存在しなくなったことに応じて、ディスプレイ１００５に表示されたＧＵＩ２００６を非表示とする。このようにすることで、縮小画像の表示を優先させることができる。
【００３１】
一方で例えば腹部の健診などでは、分割撮影を含む複数の撮影を行うため、検査画像表示領域３００１では縮小画像が表示しきれなくなる場合がある。そこで、分割合成画像操作ＵＩ２００６表示時に表示領域が分割合成画像操作ＵＩ２００６より小さい場合は、分割合成画像操作ＵＩ２００６表示のタイミングで撮影画像サムネイル表示領域３００４の表示エリアを小さくする。撮影画像サムネイル表示領域３００４が小さくした事で撮影画像サムネイルを表示できなくなった領域はスクロールバー３００７を用いることで表示できるようにする。このように、表示制御部２００２によりＧＵＩ２００６が特定の表示領域に表示されるタイミングで、分割撮影に対応する放射線画像の縮小画像が特定の表示領域に表示されることとなる場合には、表示制御部２００２は、ＧＵＩ２００６を特定の領域に表示させるとともに、該縮小画像が特定の表示領域外の領域に表示されるよう縮小画像の表示位置を制御する。これによりディスプレイ１００５の限られた表示エリアで、出来る限り操作者の視認性を高めるために分割合成画像が作成されたタイミングで分割合成画像操作ＵＩ２００６を表示する。
【００３２】
その他の例で、表示制御部２００２は、第一の表示領域３００３に表示された縮小画像の数に応じてＧＵＩ２００６の表示タイミングを制御することができる。例えば、縮小画像の数が閾値よりも多い場合には、ＧＵＩ２００６は、特定のフォーマットについての全ての分割画像が撮影されたことに応じて表示させることとし、できる限り縮小画像の表示領域を大きく維持する。一方で、縮小画像の数が閾値よりも少ない場合には、ＧＵＩ２００６を表示させても操作者への負担は少ないと考えられるため、分割撮影が指示されたタイミングや分割フォーマットが指定されたタイミングでＧＵＩ２００６を表示させることとする。
【００３３】
また、予め定められた撮影を各被検者に対して順次行い、診断は別の場所や或いは別の担当者が行うような状況では、必ずしもＧＵＩ２００６を自動的にポップアップさせる必要がないこともありうる。そのような場合に対応して、ＧＵＩ２００６を分割撮影の進行状況に応じて表示させるか否かを設定する設定部を設ける。設定部は例えば入力部１０１１等からユーザの操作入力を取得し、ＧＵＩ２００６を自動ポップアップさせるか否かをユーザの操作に応じて設定する。これにより、撮影の作業上不要なＧＵＩを画面上に表示させず、シンプルかつ利便性の高いＧＵＩを提供することができる。
【００３４】
上述の状況で、手動でＧＵＩ２００６を表示させる必要がある場合に対応して、例えば表示画面上にＧＵＩ２００６（第一のＧＵＩ）の表示及び非表示を指示するためのＧＵＩ（第二のＧＵＩ）を表示制御部２００２の制御に応じて表示させる。
【００３５】
かかる第二のＧＵＩは例えば入力部１０１１からの操作により画面上の特定のボタンやアイコンを指定することにより当該第二のＧＵＩを表示させるためのＧＵＩを表示させることとする。これにより、ユーザは必要なタイミングで分割撮影画像を操作するためのＧＵＩを表示／非表示とすることができる。
【００３６】
また別の例では、表示制御部２００２が第二のＧＵＩを分割撮影の進行状況に応じて表示させる。第一のＧＵＩ２００６に比べて第二のＧＵＩは一般に表示領域が大きくなると考えられるため、第二のＧＵＩであれば表示領域の占有も少なく、かつ必要なタイミングでは１クリックで表示させることができる。或いは表示制御部２００２は第二のＧＵＩを選択不可能な状態で予め表示させておき、分割撮影の進行状況に応じて選択可能な状態へと遷移させることができる。ユーザは選択可能な状態であるとき以外のタイミングで誤って選択してしまうという問題を低減することができる。
【００３７】
更に別の例では、表示制御部２００２は、分割撮影の進行状況に応じてＧＵＩ２００６を、ＧＵＩ２００６とは異なる画像処理パラメータ調整や画像中の距離測定ツール、回転反転ツール等のＧＵＩよりも優先させて表示させることができる。例えば、特定の分割撮影フォーマットに対応する複数の撮影が行われたタイミングで、ＧＵＩ２００６をその他のＧＵＩよりも画面の上部に来るように画面縦方向における表示の順序を変更する。このようにすることで、必要になり得るＧＵＩ２００６を適切なタイミングで優先して表示させることができる。
【００３８】
実施例１のフローを図４のフロー図で示す。まずＳ１００１で検査を開始する。そしてＳ１００２で撮影画面を表示して、撮影可能状態になったらＳ１００３で分割撮影用のサムネイルではなく一般のサムネイルを表示する。
【００３９】
次にＳ１００４で分割フォーマット指定部２００３より分割フォーマットを指定されたかどうか判断する。分割フォーマットが指定されている場合はＳ１００５にてＳ１００３で表示していた一般サムネイルを分割サムネイルに表示変更する。そして、Ｓ１００５にて分割撮影を開始する。ただし、Ｓ１００４にて分割フォーマットが指定されていない場合はＳ１００６にて一般のＸ線撮影を開始する。  そして、Ｓ１００６にて撮影を実施した場合は、Ｓ１００７にて取得したＸ線撮影画像２００５を記録部２００１に記録する。
【００４０】
次に、Ｓ１００８にて分割合成画像の有無をチェックする。分割合成画像作成部２００４にて分割合成画像が少なくとも１枚作成された場合はＳ１００９にて分割合成画像操作ＵＩ２００６を表示して、Ｓ１０１１にて検査終了かどうか判断する。ただし、分割合成画像作成部２００４にて分割合成画像が作成されていない場合はＳ２０１０に分割撮影途中かどうかを判断する。分割撮影途中の場合はＳ１００６にて引き続き撮影を実施する。分割撮影でない場合はＳ１０１１にて検査終了かどうか判断する。
【００４１】
最後にＳ１０１１にて検査終了かどうか判断して、検査終了しない場合はＳ１００３にて再度一般サムネイルを表示する。検査終了の場合はＳ１０２２にて検査を終了して撮影画面を非表示にする。
【実施例２】
【００４２】
実施例２の全体側面図は実施例１と同じである。図４は、分割撮影プログラム１０１０を展開した際の詳細な側面図である。この分割撮影プログラム１０１０は、撮影制御部２０００、記録部２００１、表示制御部２００２、分割フォーマット指定部２００３、分割合成画像作成部２００４を備えられている。また、外部装置としてＸ線発生装置１０００には外部分割フォーマット指定部４００１、分割フォーマット送信部４００２が備えられている。また、分割フォーマットを指定するためのコンソール１００２（図６）が備えられている。
【００４３】
ここで、撮影制御部２０００はＸ線撮影の制御を実施する。Ｘ撮影後にＩ／Ｆ１００６により受信したＸ線撮影画像２００５を記録部２００１に記録し、表示制御部２００２でＸ線制御装置１００４に接続されているディスプレイ１００５にＸ線撮影画像２００５を表示する。
【００４４】
Ｘ線発生装置１０００ではコンソール１００２にて分割フォーマットを指定する。ただし、分割フォーマットの指定方法はこれに限らない。分割フォーマットが指定されると、分割フォーマット送信部４００２からＸ線制御装置１００４の分割フォーマット受信部４００３に通知される。分割フォーマットが通知された場合の制御は実施例１と同様である。
【００４５】
実施例２のフローを図４のフロー図で示す。実施例１と異なる点はＳ１００４の分割フォーマットの指定がＸ線発生装置１０００のコンソール１００２で分割フォーマットが指定される点である。
【実施例３】
【００４６】
実施例３は実施例１と同様の構成である。実施例３では、表示制御部２００２では、記録部２００１に分割合成画像を構成されるＸ線撮影画像２００５が少なくとも１枚記録されたタイミングで分割合成画像操作ＵＩ２００６を表示する。もしくは、分割フォーマット指定部２００３で分割フォーマットを指定したタイミングで分割合成画像操作ＵＩ２００６を表示する。
【実施例４】
【００４７】
実施例４は実施例２と同様の構成である。実施例４では、表示制御部２００２では、分割フォーマット受信部４００３で分割フォーマットを受信したタイミングで分割合成画像操作ＵＩ２００６を表示する。ただし、その後に分割合成画像が作成されていない状態で非分割フォーマットを再度受信した場合は分割合成画像操作ＵＩ２００６を非表示にする。
【実施例５】
【００４８】
実施例５は実施例１または実施例２と同様の構成である。実施例５では、表示制御部２００２では、分割合成画像が写損など削除行為がされ、分割合成画像が少なくとも１枚以上存在しなくなった場合に分割合成画像操作ＵＩ２００６を非表示とする。
【００４９】
上述の通り、本発明の実施形態によれば、画像枚数を確認するための領域、および、分割合成画像を操作するための領域を、少なくとも1枚の分割合成画像が作成されたタイミングで表示する。そうすることで視認性を改善し、操作者の負担を軽減することを目的とする。
【符号の説明】
【００５０】
１０００  Ｘ線発生装置
１００１  Ｘ線管
１００２  コンソール
１００３  Ｘ線検出器
１００４  Ｘ線制御装置
１００５  ディスプレイ
１００６  Ｉ／Ｆ
１００７  ＣＰＵ
１００８  ＲＡＭ
１００９  ＨＤＤ
１０１０  プログラム
１０１１  入力部
１０１２  出力部
２００１  記録部
２００２  表示制御部
２００３  分割フォーマット指定部
２００４  分割合成画像作成部
２００５  Ｘ線撮影画像
２００６  分割合成画像操作ＵＩ
３００１  撮影画面
３００２  撮影画像表示領域
３００３  検査情報表示領域
３００４  撮影画像サムネイル表示領域
３００５  検査保留ボタン
３００６  検査終了ボタン
３００７  スクロールバー
４００１  外部分割フォーマット指定部
４００２  分割フォーマット送信部
４００３  分割フォーマット受信部
５００１  コンソール操作エリア
５００２  分割フォーマットタイプ表示エリア
５００３  分割フォーマット指定ボタン
５００４  分割撮影枚数表示エリア
Ｈ  被検体
【図１】
2014000133.tif 000003
【図２】
2014000133.tif 000004
【図３】
2014000133.tif 000005
【図４】
2014000133.tif 000006
【図５】
2014000133.tif 000007
【図６】
2014000133.tif 000008